(57)【要約】【課題】  インクジェットヘッドの設計の自由度を大きくし、インクジェットヘッドのフォーム収納用ハウジング部内に多孔質体を圧縮された状態に容易に収納できるようにして廉価に製造可能とする。【解決手段】  インクジェットヘッドの、インクタンクハウジング４４内に設ける多孔質体挿入用の部屋４６内に、インク保持部材としての多孔質体４０を配置し、組み立て完成時に、この多孔質体挿入用の部屋４６の少なくとも一部を構成することとなる多孔質体圧縮用部材５４を、インクタンクハウジング４４に組み付けられることによって、多孔質体挿入用の部屋４６内に挿入した多孔質体４０を、少なくとも２方向から圧縮固定する。多孔質体圧縮用部材５４が多孔質体４０を圧縮する部分の形状により、インク供給方向に対する多孔質体４０の圧縮率を自由に設計できるので、インクジェットヘッドの設計の自由度を大きくし、インクタンクハウジング４４に配置される多孔質体４０によって所望の負圧を得るのに必要な圧縮率を容易に実現できる。【選択図】  図６
2006062199.tif 000002
【特許請求の範囲】
【請求項１】
インクタンクハウジング内にインク保持部材としての多孔質体を配置したインクジェットヘッドにおいて、
前記インクタンクハウジングに設ける多孔質体挿入用の部屋の少なくとも一部を構成するように、前記インクタンクハウジングに組み付けられる多孔質体圧縮用部材によって、前記多孔質体挿入用の部屋内に挿入した前記多孔質体を、少なくとも２方向から圧縮固定することを特徴とするインクジェットヘッド。
【請求項２】
前記インクタンクハウジングが、多孔質体挿入用の部屋とインク貯留用の部屋との２室構造を持つことを特徴とする請求項１に記載のインクジェットヘッド。
【請求項３】
前記多孔質体の形状が平行する２対の面を有する６面体であり、少なくとも１対の２面が台形であることを特徴とする請求項１又は請求項２に記載のインクジェットヘッド。
【請求項４】
前記多孔質体の形状を中空構造に形成し、前記多孔質体の中空穴内に多孔質体圧縮用部材を挿入して、前記多孔質体を少なくとも２方向から圧縮固定することを特徴とする請求項１又は請求項２に記載のインクジェットヘッド。
【請求項５】
前記多孔質体圧縮用部材が挿入されていないときの前記多孔質体挿入用の部屋の容積よりも、小さい容積の前記多孔質体を、前記多孔質体挿入用の部屋内に挿入してから、前記多孔質体圧縮用部材が前記多孔質体挿入用の部屋内に挿入されて組み付けられるように構成したことを特徴とする請求項１乃至請求項４の何れかに記載のインクジェットヘッド。
【請求項６】
前記多孔質体圧縮用部材の内部をインク貯留用の部屋に構成したことを特徴とする請求項１乃至請求項５の何れかに記載のインクジェットヘッド。
【請求項７】
前記請求項１乃至請求項６の何れかに記載のインクジェットヘッドを搭載したインクジェット記録装置。
【発明の詳細な説明】
【技術分野】
【０００１】
本発明は、インクタンクの内部にインク保持部材を配置したインクジェットヘッドと、このインクジェットヘッドを具備するインクジェット記録装置に関する。
【背景技術】
【０００２】
近年、インクジェット記録装置は、パーソナル・コンピュータやデジタルカメラの普及とともに家庭内でカラー画像の出力や写真の出力を容易に得られることから急速に普及している。
【０００３】
このインクジェット記録装置には、インクタンクを記録ヘッドと共にキャリッジに搭載し、記録ヘッドを主走査方向に移動しながら用紙等の記録媒体に対する記録を行うシリアルスキャン型の構成を取るものがある。
【０００４】
このようなインクジェットヘッドのインクタンクは、インクのたれ落ちを防止するために、インクジェットヘッド構成部材として多孔質体を収納し、この多孔質体の毛管力（毛細管現象を利用した吸引力）によりインクを多孔質体内に吸収させると共に負圧を発生させる構造をとるのが一般的である。
【０００５】
この毛管力を発生させる多孔質体には、ウレタンフォームを用いることが多いが、ウレタンフォーム体を製造したままの状態で使用すると、ウレタンフォームのセルの大きさが大きすぎるために、インクジェットヘッド内にインクを保持するための充分な負圧を発生させることができない。
【０００６】
このため、図２３乃至図２８に示すように、インクジェットヘッド１１０では、例えば図２５に示すようにフォーム収納用ハウジング部１１２Ａとインク用の独立した液室１１２Ｂ（サブインクタンク）とを一体に形成したハウジング１１２を形成し、図２４に示すようにフォーム収納用ハウジング部１１２Ａの内部形状より所定の大きさだけ一回り大きく形成したウレタンフォーム体１１４を、図２５に示すようにフォーム収納用ハウジング部１１２Ａ内に所定量圧縮しながら挿入し、図２６に示すように収納する。図２７に示すようにハウジング１１２には、その底部開口を塞ぐように、ヘッドチップが搭載された印字ノズル部品１１５を固定する。さらに、図２８に示すようにフォーム収納用ハウジング部１１２Ａから突出したウレタンフォーム体１１４の部分を内部に押し込むように天板部材１１６で圧縮してから、天板部材１１６をハウジング１１２に固着して、図２３に示すインクジェットヘッド１１０を構成している。
【０００７】
なお、図２９及び図３０に示すように、インクジェットヘッド１１０は、ハウジング１１２を一室にしてフォーム収納用ハウジング室とインク用の液室とを共用するものでも、上述と同様に、印字ノズル部品１１５を固定したハウジング１１２の室内に、ウレタンフォーム体１１４を挿入して天板部材１１６で蓋をすることによって所定量圧縮した状態となるようウレタンフォーム体１１４を収納して構成する。
【０００８】
すなわち、インクジェットヘッド１１０では、ウレタンフォーム体１１４をインクジェットヘッド１１０内で圧縮した状態になるようフォーム収納用ハウジング部１１２Ａ内に収納することで所望の負圧を得るように構成する。
【０００９】
このような構成のインクジェットヘッドを製作する場合には、一回り大きな多孔質体を、フォーム収納用ハウジング部内に、圧縮せず原型のまま挿入しようとすると、多孔質体が片寄った状態で挿入されたり、収納された多孔質体に皺やめくれが発生したりするため、インクタンクとしての品質が低下してしまう。
【００１０】
そこで、従来のインクジェットヘッドでは、多孔質体を圧縮した状態でフォーム収納用ハウジング部内に収納する際に、コの字型の断面形状を持つ冶具を用いて多孔質体を把持して所望の大きさまで圧縮し、この状態でピストンにより挿入する方法が取られている（例えば、特許文献１参照。）。
【００１１】
また、多孔質体を圧縮後、多孔質体の塑性変形温度以下まで冷却することでこの圧縮状態を保持したまま挿入する方法などが取られている。
【００１２】
これら多孔質体の挿入方法では専用冶具や冷却して形状を維持する必要があることなどから工数及び組み立てコストがかかるという問題がある。
【００１３】
さらに、従来のインクジェットヘッドでは、多孔質体を挿入するための開口部をフォーム収納用ハウジング部であるタンク本体の断面積が最も広い面とすることで挿入を容易とし、かつタンク本体に挿入した状態から圧縮することにより多孔質体の挿入を容易とする手段が提案されている。
【００１４】
しかしながらこの手段では、多孔質体を挿入するための開口部を、タンク本体の断面積が最も広い面と限定するため、インクジェットヘッドにおける設計自由度が大幅に制限されるという問題がある。
【特許文献１】特開平５−１６３８５号公報
【特許文献２】特開平１０−２７８２８８号公報
【発明の開示】
【発明が解決しようとする課題】
【００１５】
本発明は上述の問題に鑑み、インクジェットヘッドの設計の自由度を大きくし、かつ、インクジェットヘッドのフォーム収納用ハウジング部内に多孔質体を圧縮された状態に容易に収納できるようにして廉価に製造可能とする、インクジェットヘッド及びインクジェット記録装置を提供することを目的とする。
【課題を解決するための手段】
【００１６】
請求項１に記載のインクジェットヘッドは、インクタンクハウジング内にインク保持部材としての多孔質体を配置したインクジェットヘッドにおいて、インクタンクハウジングに設ける多孔質体挿入用の部屋の少なくとも一部を構成するように、インクタンクハウジングに組み付けられる多孔質体圧縮用部材によって、多孔質体挿入用の部屋内に挿入した多孔質体を、少なくとも２方向から圧縮固定することを特徴とする。
【００１７】
請求項２に記載の発明は、請求項１に記載のインクジェットヘッドにおいて、インクタンクハウジングが、多孔質体挿入用の部屋とインク貯留用の部屋との２室構造を持つことを特徴とする。
【００１８】
請求項３に記載の発明は、請求項１又は請求項２に記載のインクジェットヘッドにおいて、多孔質体の形状が平行する２対の面を有する６面体であり、少なくとも１対の２面が台形であることを特徴とする。
【００１９】
前述のように構成することにより、インクタンクハウジングの多孔質体挿入用の部屋内に多孔質体を挿入してから組み付けられる多孔質体圧縮用部材によって、多孔質体挿入用の部屋内に挿入した多孔質体を、少なくとも２方向から圧縮固定する。これにより、多孔質体圧縮用部材が多孔質体を圧縮する部分の形状により、インク供給方向に対する多孔質体の圧縮率を自由に設計できるので、インクジェットヘッドの設計の自由度を大きくし、インクタンクハウジングに配置される多孔質体によって所望の負圧を得るのに必要な圧縮率を容易に実現できる。また、インクタンクハウジングの多孔質体挿入用の部屋内に多孔質体を挿入してから多孔質体圧縮用部材を組み付けるだけの容易な作業で組み立てられるので、組み立てコストを安くできるから、廉価なインクジェットヘッドを提供できる。
【００２０】
請求項４に記載の発明は、請求項１又は請求項２に記載のインクジェットヘッドにおいて、多孔質体の形状を中空構造に形成し、多孔質体の中空穴内に多孔質体圧縮用部材を挿入して、多孔質体を少なくとも２方向から圧縮固定することを特徴とする。
【００２１】
上述のように構成することにより、前述した請求項１乃至請求項３に記載の発明の作用、効果に加えて、多孔質体の内側に中空にくり抜いた穴部分を形成したので、この多孔質体を多孔質体挿入用の部屋内に挿入するときに、多孔質体が中空にくり抜いた穴部分に向けて変形して力の逃げ場ができるため容易に、かつきれいに多孔質体挿入用の部屋内に挿入できる。
【００２２】
また、この多孔質体の中空にくり抜いた穴部分に、多孔質体圧縮用部材を挿入して圧縮することで多孔質体を圧縮することができ、多孔質体圧縮用部材の形状によりインク供給方向の多孔質体の圧縮率を自由に設計できる。
【００２３】
請求項５に記載の発明は、請求項１乃至請求項４の何れかに記載のインクジェットヘッドにおいて、多孔質体圧縮用部材が挿入されていないときの多孔質体挿入用の部屋の容積よりも、小さい容積の多孔質体を、多孔質体挿入用の部屋内に挿入してから、多孔質体圧縮用部材が多孔質体挿入用の部屋内に挿入されて組み付けられるように構成したことを特徴とする。
【００２４】
上述のように構成することにより、前述した請求項１乃至請求項４に記載の発明の作用、効果に加えて、多孔質体を多孔質体挿入用の部屋内に挿入する際に、多孔質体が片寄った状態で挿入されたり、収納された多孔質体に皺やめくれが発生したりすることなく、きれいに多孔質体挿入用の部屋内に挿入できる。
【００２５】
請求項６に記載の発明は、請求項１乃至請求項５の何れかに記載のインクジェットヘッドにおいて、多孔質体圧縮用部材の内部をインク貯留用の部屋に構成したことを特徴とする。
【００２６】
上述のように構成することにより、前述した請求項１乃至請求項５に記載の発明の作用、効果に加えて、多孔質体圧縮用部材をインク室と兼ねる構造とすることで、インクジェットヘッドの外形を大きくすることなく、所望の多孔質体の容積とインク室容積とをもつ構造を実現することができる。
【００２７】
請求項７に記載のインクジェット記録装置の発明は、請求項１乃至請求項６の何れかに記載のインクジェットヘッドを搭載したことを特徴とする。
【発明の効果】
【００２８】
本発明のインクジェットヘッド及びインクジェット記録装置によれば、インクジェットヘッドの設計の自由度を大きくでき、しかもインクジェットヘッドのフォーム収納用ハウジング部内に多孔質体を圧縮された状態に容易に収納して製造可能とすることにより、廉価な製品を提供できるという効果がある。
【発明を実施するための最良の形態】
【００２９】
本発明のインクジェットヘッド及びインクジェット記録装置に係わる第１実施の形態を、図１乃至図６により説明する。
【００３０】
本第１実施の形態に係わるインクジェット記録装置は、図１の概略斜視図に示すように、記録媒体Ｐ（例えば用紙等）を搬送経路に沿って搬送する記録媒体搬送部材１６と、この記録媒体Ｐの搬送経路に対向し、かつ記録媒体Ｐの搬送方向と垂直な方向に沿って設けられた１組のガイド部材１８とを備えている。
【００３１】
このガイド部材１８には、記録ヘッドキャリッジ１４を主走査方向に移動可能に装着する。また、ガイド部材１８の下方で記録媒体Ｐの搬送経路に隣接した位置には、メンテナンスステーション２０を配置する。このメンテナンスステーション２０は、キャッピングやインクの吸引等のメンテナンス動作を行うため、記録ヘッドキャリッジ１４に接続し、又はこれから離間する動作可能に構成する。このメンテナンス動作は、図示しない制御部によって、所定の条件やタイミングで行われるように制御されている。
【００３２】
このメンテナンスステーション２０に対向する位置には、記録ヘッドキャリッジ１４のホームポジションが設定されており、この位置を位置センサ２２で検出する。これら記録ヘッドキャリッジ１４、記録媒体搬送部材１６、ガイド部材１８、メンテナンスステーション２０及び位置センサ２２は、それぞれ本体ハウジング２４に保持されている。記録ヘッドキャリッジ１４には、フレキシブル基板に形成された信号線を通じて画像情報を送信する。
【００３３】
なお、図面において、記録ヘッドキャリッジ１４の移動方向（主走査方向）を矢印Ｍで、記録媒体Ｐの移動方向（副走査方向）を矢印Ｓでそれぞれ示す。
【００３４】
記録ヘッドキャリッジ１４は、ガイド部材１８に沿って移動可能に配設された記録ヘッドキャリッジフレーム２６と、この記録ヘッドキャリッジフレーム２６の下面（記録媒体Ｐの搬送経路に対向する面）よりも下に突出するように配設され、下面にインク吐出口が形成された複数（本実施形態では４つ）の記録ヘッド２８と、記録ヘッドキャリッジフレーム２６に着脱可能に配設され各記録ヘッド２８にインクを供給するサブインクタンク３０とを有する。
【００３５】
この記録ヘッドキャリッジ１４では、各記録ヘッド２８の各々に対応して設置された各サブインクタンク３０とでインクジェットヘッド３１が構成されている。この記録ヘッドキャリッジ１４のインクジェットヘッド３１は、各サブインクタンク３０に対応した各記録ヘッド２８ごとに異なる色のインク（例えば、ブラック（Ｂｋ）、イエロー（Ｙ）、マゼンタ（Ｍ）、シアン（Ｃ））を供給し、各記録ヘッド２８からインク滴を記録媒体Ｐの表面上に吐出する。
【００３６】
上述のようなインクジェット記録装置１２に用いられるインクジェットヘッド３１は、次のようにして構成する。
【００３７】
このインクジェットヘッド３１では、インクのたれ落ちを防止するためのインク保持部材として、図３に示すような多孔質体４０（本実施の形態では、ウレタンフォーム製を用いる）を利用する。
【００３８】
このインク保持部材としての多孔質体４０は、素材形状が直方体の多孔質体材料を、回転対象となるように斜面４２に沿って２分割し、各分割された多孔質体４０の形状が、平行する２対の面を有する６面体となり、少なくとも１対の２面が台形となる形状に形成する。
【００３９】
このインク保持部材としての多孔質体４０を収納するインクタンクハウジング４４は、仕切板４４Ａにより、図４に示すように、内部を矩形の多孔質体挿入用の部屋４６と矩形のインク貯留用の部屋４８との２つの部屋に仕切って全体が矩形筒状に形成されている。このインクタンクハウジング４４には、その底部開口を塞ぐように、記録ヘッド（ヘッドチップ）２８が搭載された印字ノズル部品５０を固定する。この印字ノズル部品５０を固定する手段としては、インクジェットヘッド３１を形成する材料として、例えばノリルなどのプラスチック材料を用いる場合に、振動融着の方法で融着する手段をとることができる。なお、インクタンクハウジング４４に印字ノズル部品５０を固定する手段は、上述の手段に限定されるものではなく、インクタンクハウジング４４と印字ノズル部品５０とを、インクジェットヘッド３１の使用時に正常な印字が可能なように負圧を維持できるように固定できる方法であれば、貼着又はその他種々の手段を利用してもよい。
【００４０】
次に図５に示すように、インクタンクハウジング４４に印字ノズル部品５０を固着して形成された上側の挿入用開口部が開放している多孔質体挿入用の部屋４６内には、多孔質体４０をその台形の面積の大きな下底を印字ノズル部品５０に向けた状態（上底を上に向けた状態）となる方向に挿入する。
【００４１】
この多孔質体４０の外形寸法は、多孔質体挿入用の部屋４６の内形寸法に対して挿入時に支障（例えば皺やめくれなど）をきたさず、容易に挿入できる大きさであり、挿入後に必要な圧縮率を得るのに必要な分だけ多孔質体挿入用の部屋４６の挿入用開口部から多孔質体４０の上部が突き出るように設計されている。
【００４２】
このように設計した場合には、空の多孔質体挿入用の部屋４６の容積より、小さい容積の多孔質体４０を多孔質体挿入用の部屋４６内に挿入することになるので、挿入時に支障なく、容易に挿入できる。
【００４３】
次に図６に示すように、インクタンク天板部品５２を、多孔質体挿入用の部屋４６に多孔質体４０が挿入されているインクタンクハウジング４４の上部に固定し、図２に示すようなインク室と多孔質体室の２室構造をもつインクジェットヘッド３１を完成する。
【００４４】
このインクタンク天板部品５２の内面には、プラスチック製の多孔質体圧縮用部材５４を、多孔質体挿入用の部屋４６内における一方の縦内側面に隣接して挿入されるように突設する。この多孔質体圧縮用部材５４は、多孔質体挿入用の部屋４６内に挿入された状態で、多孔質体４０の斜面４２に当接して多孔質体４０を所定の圧縮状態に圧縮するよう構成した圧縮斜面５４Ａを有する正面視台形状に形成し、この正面視台形の面積の大きな上底をインクタンク天板部品５２の内面に一体的に接続し、面積の小さな下底を印字ノズル部品５０側に向けるように構成する。この圧縮斜面５４Ａは、インクジェットヘッド３１が完成された状態で、結果的に多孔質体４０が挿入された多孔質体挿入用の部屋４６の少なくとも一部を構成することになる。
【００４５】
このインクタンク天板部品５２をインクタンクハウジング４４の上部に固定する際に、インクタンク天板部品５２の多孔質体圧縮用部材５４が、多孔質体４０が挿入されている多孔質体挿入用の部屋４６内に挿入される。このとき、多孔質体圧縮用部材５４の圧縮斜面５４Ａは、多孔質体４０の斜面４２に摺接しながら多孔質体４０を矢印Ａで示す圧縮斜面５４Ａに直交する方向に押し縮める。これと共に、インクタンク天板部品５２の内側平面が、多孔質体挿入用の部屋４６の挿入用開口部から突き出ている多孔質体４０の上底面に当たって、多孔質体４０を矢印Ｂで示す正面視台形状の高さ方向に押し縮める。すなわち、多孔質体圧縮用部材５４の圧縮斜面５４Ａが、多孔質体４０を上部方向と略側面方向の２方向（図６の矢印Ａと矢印Ｂの方向）に突き当たり、所望の位置まで押し付けることにより、多孔質体４０を圧縮する。
【００４６】
この多孔質体圧縮用部材５４に設ける圧縮斜面５４Ａの形状（傾斜角度及び平面又は曲面等で形成される斜面形状）は、多孔質体４０が所望の圧縮率（高さ方向で異なる圧縮率となるように構成しても良い）に圧縮されるように設計されている。
【００４７】
なお、インクタンクハウジング４４にインクタンク天板部品５２を固定する手段は、前述した振動融着の方法又はその他種々の手段を利用してもよい。
【００４８】
また、図２に示すように、各インクジェットヘッド３１におけるインクタンク天板部品５２には、多孔質体挿入用の部屋４６内に空気を流通させる大気連通孔５６と、インク貯留用の部屋４８内に連通するインク供給ポート５８と、真空引きポート６０とを設ける。
【００４９】
この大気連通孔５６は、空気を多孔質体挿入用の部屋４６内に出入りさせることで、サブインクタンク３０内での圧力変動が緩和されるようになっている。また、サブインクタンク３０には、内部のインク量を検出する図示しないインク量センサを取り付ける。このインク量センサは、検出したサブインクタンク３０内のインク量の情報を図示しない制御部へ送信する。
【００５０】
さらに、図示しないが、このインクジェットヘッド３１では、仕切板４４Ａの下端部と、多孔質体圧縮用部材５４の下端部とに、それぞれ連通する透孔を穿設し、多孔質体挿入用の部屋４６とインク貯留用の部屋４８との間で液体インクが流通可能なように構成する。
【００５１】
また図示しないが、インクジェット記録装置１２には、サブインクタンク３０内へインクを補給可能なインク補給口を備えたインク補給用ポートを設ける。さらに図示しないが、本体ハウジング２４には、サブインクタンク３０のそれぞれに対応してインクを補給する複数のインク補給ユニットを備えたインク補給装置を取り付ける。さらに図示しないが、インクジェット記録装置１２には、使用するインクを貯留したメインインクタンクを配置し、インク補給装置によってメインインクタンク内のインクがサブインクタンクに補給され、画像記録に使用されるようになっている。
【００５２】
このインク補給動作は、特定のサブインクタンク３０内のインクが所定量まで減少したことをインク量センサが検出し、その情報を図示しない制御部に送信したときに、制御部の制御により、記録ヘッドキャリッジ１４をインク補給ポジションへと移動させ、インク補給装置によりインクを補給することによって行われる。
【００５３】
またこのインクジェット記録装置１２では、記録ヘッド２８が、メンテナンスを必要とする所定の状態になると、図示しない制御部が、記録ヘッドキャリッジ１４をホームポジションへと移動させ、メンテナンスステーション２０を記録ヘッド２８に対して接近させて、所定のメンテナンス動作を行う。これにより、記録ヘッド２８はインク吐出に最適な状態へと回復し、結果的に常にインク吐出に最適な状態が維持されるので、高画質の画像を記録媒体Ｐに記録できる。
【００５４】
上述のように構成されたインクジェット記録装置１２は、記録媒体搬送部材１６で記録媒体Ｐを副走査方向に搬送し、かつ、記録ヘッドキャリッジ１４を主走査方向に往復動作させながら、画像情報に応じて記録ヘッド２８からインク滴を吐出することにより記録媒体Ｐ上にフルカラーの画像を記録する。
【００５５】
次に、本発明の第２実施の形態について図７及び図８により説明する。本第２実施の形態に係わるインクジェットヘッド３１は、インク貯留用の部屋と多孔質体挿入用の部屋とを一体に構成した、インク貯留室兼用の多孔質体挿入用の部屋４６を設けたものである。
【００５６】
本第２実施の形態に係わるインクジェットヘッド３１は、前述した図３に示したものと同等の、直方体から２分割に切り出して形成した、平行する２対の面を有する６面体であり、少なくとも１対の２面が台形である形状の多孔質体４０を用いる。
【００５７】
また、インクタンクハウジング４４は、仕切板４４Ａのない一つの多孔質体挿入用の部屋４６が構成されたものを用いる。このインクタンクハウジング４４には、その底部開口を塞ぐように、記録ヘッド２８が搭載された印字ノズル部品５０を固定する。
【００５８】
さらに、インクタンクハウジング４４に固着されるインクタンク天板部品５２には、多孔質体挿入用の部屋４６に対応した部分（インクタンク天板部品５２の多孔質体圧縮用部材５４を設けていない部分）に、多孔質体挿入用の部屋４６内に連通する大気連通孔５６と、インク供給ポート５８と、真空引きポート６０とを設ける。
【００５９】
そして、前述した第１実施の形態と同様にして、図７に示すようにインクタンクハウジング４４の多孔質体挿入用の部屋４６内に多孔質体圧縮用部材５４を挿入しながらインクタンク天板部品５２を装着し、多孔質体４０を上部方向と略側面方向の２方向（図７の矢印Ａと矢印Ｂの方向）に所望の位置まで押し付けることにより多孔質体４０を圧縮し、図８に示すようなインクジェットヘッド３１を完成する。
【００６０】
なお、本第２実施の形態における以上説明した以外の構成、作用、及び効果は前述した第１実施の形態と同様であるので、同一部材には同一符号を付すこととして、詳細な説明を省略する。
【００６１】
次に、本発明の第３実施の形態について図９及び図１０により説明する。本第３実施の形態に係わるインクジェットヘッド３１は、インクタンクハウジング４４に仕切板を設けないで多孔質体挿入用の部屋４６の一室だけを構成すると共に、多孔質体圧縮用部材５４の内部をインク貯留用の部屋に構成したものである。
【００６２】
本第３実施の形態に係わるインクジェットヘッド３１は、前述した図３に示したものと同形状の正面台形状の多孔質体４０を用いる。
【００６３】
また、インクタンクハウジング４４は、仕切板のない一つの多孔質体挿入用の部屋４６が構成されたものを用いる。このインクタンクハウジング４４には、その底部開口を塞ぐように、記録ヘッド２８が搭載された印字ノズル部品５０を固定する。
【００６４】
さらに、インクタンクハウジング４４に固着されるインクタンク天板部品５２には、多孔質体挿入用の部屋４６に対応した部分（インクタンク天板部品５２の多孔質体圧縮用部材５４を設けていない部分）に、多孔質体挿入用の部屋４６内に連通する大気連通孔５６を設け、インクタンク天板部品５２の多孔質体圧縮用部材５４に兼用して構成したインク貯留用の部屋に連通するようインク供給ポート５８と、真空引きポート６０とを設ける。
【００６５】
そして、前述した第１実施の形態と同様にして、図１０に示すようにインクタンクハウジング４４の多孔質体挿入用の部屋４６内に多孔質体圧縮用部材５４を挿入しながらインクタンク天板部品５２を装着し、多孔質体４０を上部方向と略側面方向の２方向（図１０の矢印Ａと矢印Ｂの方向）に所望の位置まで押し付けることにより多孔質体４０を圧縮し、図９に示すようなインクジェットヘッド３１を完成する。
【００６６】
なお、本第３実施の形態における以上説明した以外の構成、作用、及び効果は前述した第１実施の形態と同様であるので、同一部材には同一符号を付すこととして、詳細な説明を省略する。
【００６７】
次に、本発明の第４実施の形態について図９及び図１０により説明する。本第４実施の形態に係わるインクジェットヘッド３１は、インクタンクハウジング４４に仕切板を設けないで多孔質体挿入用の部屋４６の一室だけを構成すると共に、前述した多孔質体圧縮用部材の圧縮斜面５４Ａ部分だけをインクタンク天板部品５２に設けて多孔質体挿入用の部屋４６の内部を仕切ってインク貯留用の部屋を構成したものである。
【００６８】
本第４実施の形態に係わるインクジェットヘッド３１は、前述した図３に示したものと同形状の正面台形状の多孔質体４０を用いる。
【００６９】
また、インクタンクハウジング４４は、仕切板のない一つの多孔質体挿入用の部屋４６が構成されたものを用いる。このインクタンクハウジング４４には、その底部開口を塞ぐように、記録ヘッド２８が搭載された印字ノズル部品５０を固定する。
【００７０】
このインクタンクハウジング４４に固着されるインクタンク天板部品５２には、前述した多孔質体圧縮用部材における圧縮斜面５４Ａの部分だけを突設する。
【００７１】
本第４実施の形態に係わるインクタンク天板部品５２は、長方形の板部材に構成された圧縮斜面５４Ａを、インクタンク天板部品５２の内側から所定の傾斜角度で突設して構成する。すなわち、このインクタンク天板部品５２は、多孔質体挿入用の部屋４６と相俟ってインク貯留用の液室を構成する側壁のうち、少なくとも多孔質体４０に当接する１側壁を含む部材を有するように構成する。
【００７２】
さらに、インクタンクハウジング４４に固着されるインクタンク天板部品５２には、多孔質体挿入用の部屋４６の圧縮斜面５４Ａで仕切られた多孔質体４０を収納する空間に対応した部分に、多孔質体挿入用の部屋４６内に連通する大気連通孔５６を設け、多孔質体挿入用の部屋４６の圧縮斜面５４Ａで仕切られたインクを貯留する空間に対応した部分に連通するようインク供給ポート５８と、真空引きポート６０とを設ける。
【００７３】
そして、前述した第１実施の形態と同様にして、図１２に示すようにインクタンクハウジング４４の多孔質体挿入用の部屋４６内に多孔質体圧縮用部材５４を挿入しながらインクタンク天板部品５２を装着し、多孔質体４０を上部方向と略側面方向の２方向（図１２の矢印Ａと矢印Ｂの方向）に所望の位置まで押し付けることにより多孔質体４０を圧縮し、図１１に示すようなインクジェットヘッド３１を完成する。
【００７４】
なお、本第４実施の形態における以上説明した以外の構成、作用、及び効果は前述した第１実施の形態と同様であるので、同一部材には同一符号を付すこととして、詳細な説明を省略する。
【００７５】
次に、本発明の第５実施の形態について図１３乃至図１８により説明する。本第５実施の形態に係わるインクジェットヘッド３１は、インクタンクハウジング４４に仕切板４４Ａを設けて、多孔質体挿入用の部屋４６とインク貯留用の部屋４８とを構成すると共に、多孔質体挿入用の部屋４６に挿入する多孔質体４０を中空に形成し、さらに、インクタンク天板部品５２に、多孔質体４０の中空内部に挿入される圧縮斜面を持つ多孔質体圧縮用部材５４を設けて構成したものである。
【００７６】
本第５実施の形態では、インクジェットヘッド３１を構成するため、図１４に示すように多孔質体４０の外形を、多孔質体挿入用の部屋４６の内部形状より所定の大きさだけ一回り大きい直方体に形成する。さらに、図１５に示すようにこの直方体をした多孔質体４０における内側の一部を中空にくり抜いた構造とする。この多孔質体４０を中空にくり抜いた部分４１の形状は、図１４に示すように例えば四角錐台形に形成する。
【００７７】
図１６に示すように、このインクジェットヘッド３１では、独立した液室を形成するため、仕切板４４Ａによって、多孔質体挿入用の部屋４６とインク貯留用の部屋４８との２つの部屋に仕切られたインクタンクハウジング４４の底部に、記録ヘッド２８が搭載された印字ノズル部品５０を、振動融着等の手段で固着する。
【００７８】
このインクジェットヘッド３１では、インクタンクハウジング４４に中空形状の多孔質体４０を図１７に示す状態に挿入する。このとき、例えば多孔質体４０の外形寸法がインクタンクハウジング４４の内寸とほほ同じか大きい場合においても、中空構造を有する多孔質体４０は、多孔質体４０の内側に変形して逃げられる部分が存在するため容易に圧縮できる。さらに、多孔質体４０は、多孔質体挿入用の部屋４６内に挿入した後に多孔質体挿入用の部屋４６の内壁に倣わすことができるため、挿入するときに皺やめくれなどの不具合が発生することがないように挿入する作業を容易にできる。
【００７９】
図１８に示すように、インクタンク天板部品５２の内側面の中央所定位置には、多孔質体４０を中空にくり抜いた穴部分に挿入するための楔状の部材である多孔質体圧縮用部材５４を突設する。本第５実施の形態で用いる楔状の部材である多孔質体圧縮用部材５４は、多孔質体４０を中空にくり抜いた部分４１の形状に対応して構成する。
【００８０】
本第５実施の形態で用いる多孔質体圧縮用部材５４は、多孔質体４０を中空にくり抜いた穴部分に挿入された状態で、多孔質体４０を所定の圧縮状態に圧縮するよう四角錐台形に形成し、その４つの斜面を圧縮斜面５４Ａとし、この正面視台形の面積の大きな上底をインクタンク天板部品５２の内面に一体的に接続し、面積の小さな下底を印字ノズル部品５０側に向けるように配置する。
【００８１】
このような多孔質体圧縮用部材５４を設けたインクタンク天板部品５２は、多孔質体挿入用の部屋４６に多孔質体４０が挿入されているインクタンクハウジング４４の上部に固定し、図１３に示すようなインクジェットヘッド３１を完成する。
【００８２】
このインクタンク天板部品５２をインクタンクハウジング４４の上部に固定する際に、インクタンク天板部品５２の多孔質体圧縮用部材５４が、多孔質体４０の中空にくり抜いた穴内に挿入される。このとき、多孔質体圧縮用部材５４の四方の側面に形成された圧縮斜面５４Ａは、多孔質体４０の中空にくり抜いた穴の斜面に摺接しながら多孔質体４０を矢印Ａで示す各圧縮斜面５４Ａに直交する方向にそれぞれ押し縮める。これと共に、インクタンク天板部品５２の内側平面が、多孔質体挿入用の部屋４６の挿入用開口部から突き出ている多孔質体４０の上面に当たって、多孔質体４０を矢印Ｂで示す直方体の高さ方向に押し縮める。
【００８３】
すなわち、インクタンク天板部品５２を構成する多孔質体圧縮用部材５４とその内側面が多孔質体４０を上部方向と側面方向の２方向（図の矢印Ａと矢印Ｂの方向）に突き当たり、所望の位置まで押し付けることにより、多孔質体４０を圧縮する。このインクジェットヘッド３１では、多孔質体４０の中空穴部分に挿入されるインクタンク天板部品５２の多孔質体圧縮用部材５４の形状と、多孔質体４０の中空穴形状の組み合わせにより、インクジェットヘッド３１の組み立て終了後に、多孔質体４０に必要な負圧を発生させる所要の圧縮率（高さ方向で異なる圧縮率となるように構成しても良い）が得るように設計されている。
【００８４】
なお、本第５実施の形態における以上説明した以外の構成、作用、及び効果は前述した第１実施の形態と同様であるので、同一部材には同一符号を付すこととして、詳細な説明を省略する。
【００８５】
次に、本発明の第６実施の形態について図１９及び図２０により説明する。本第６実施の形態に係わるインクジェットヘッド３１は、インク貯留用の部屋と多孔質体挿入用の部屋とを一体に構成した、インク貯留室兼用の多孔質体挿入用の部屋４６を設けたものである。
【００８６】
本第６実施の形態に係わるインクジェットヘッド３１は、前述した図１４に示したものと同様に、外形を直方体に形成し、内側の一部を中空にくり抜いた構造とした多孔質体４０を用いる。
【００８７】
また、インクタンクハウジング４４は、仕切板のない一つの多孔質体挿入用の部屋４６が構成されたものを用いる。このインクタンクハウジング４４には、その底部開口を塞ぐように、記録ヘッド２８が搭載された印字ノズル部品５０を固定する。
【００８８】
さらに、インクタンクハウジング４４に固着されるインクタンク天板部品５２には、多孔質体挿入用の部屋４６に対応した部分（インクタンク天板部品５２の多孔質体圧縮用部材５４を設けていない部分）に、多孔質体挿入用の部屋４６内に連通する大気連通孔５６と、インク供給ポート５８と、真空引きポート６０とを設ける。
【００８９】
そして、前述した第５実施の形態と同様にして、図２０に示すようにインクタンクハウジング４４の多孔質体挿入用の部屋４６内にある多孔質体４０の多孔質体４０の中空穴部分に多孔質体圧縮用部材５４を挿入しながらインクタンク天板部品５２を装着し、多孔質体４０を上部方向と各側面方向の２方向（図の矢印Ａと矢印Ｂの方向）に所望の位置まで押し付けることにより多孔質体４０を圧縮し、図１９に示すようなインクジェットヘッド３１を完成する。
【００９０】
なお、本第６実施の形態における以上説明した以外の構成、作用、及び効果は前述した第１実施の形態又は第５実施の形態と同様であるので、同一部材には同一符号を付すこととして、詳細な説明を省略する。
【００９１】
次に、本発明の第７実施の形態について図２１及び図２２により説明する。本第７実施の形態に係わるインクジェットヘッド３１は、インクタンクハウジング４４に仕切板を設けないで多孔質体挿入用の部屋４６の一室だけを構成すると共に、多孔質体圧縮用部材５４の内部をインク貯留用の部屋に構成したものである。
【００９２】
本第７実施の形態に係わるインクジェットヘッド３１は、前述した図１４に示したものと同様に、外形を直方体に形成し、内側の一部を中空にくり抜いた構造とした多孔質体４０を用いる。
【００９３】
また、インクタンクハウジング４４は、仕切板のない一つの多孔質体挿入用の部屋４６が構成されたものを用いる。このインクタンクハウジング４４には、その底部開口を塞ぐように、記録ヘッド２８が搭載された印字ノズル部品５０を固定する。
【００９４】
さらに、インクタンクハウジング４４に固着されるインクタンク天板部品５２には、多孔質体挿入用の部屋４６に対応した部分（インクタンク天板部品５２の多孔質体圧縮用部材５４を設けていない部分）に、多孔質体挿入用の部屋４６内に連通する大気連通孔５６を設け、インクタンク天板部品５２の多孔質体圧縮用部材５４に兼用して構成したインク貯留用の部屋に連通するようインク供給ポート５８と、真空引きポート６０とを設ける。
【００９５】
そして、前述した第５実施の形態と同様にして、図２２に示すようにインクタンクハウジング４４の多孔質体挿入用の部屋４６内にある多孔質体４０の多孔質体４０の中空穴部分に多孔質体圧縮用部材５４を挿入しながらインクタンク天板部品５２を装着し、多孔質体４０を上部方向と各側面方向の２方向（図の矢印Ａと矢印Ｂの方向）に所望の位置まで押し付けることにより多孔質体４０を圧縮し、図２２に示すようなインクジェットヘッド３１を完成する。
【００９６】
なお、本第７実施の形態における以上説明した以外の構成、作用、及び効果は前述した第１実施の形態又は第５実施の形態と同様であるので、同一部材には同一符号を付すこととして、詳細な説明を省略する。
【００９７】
なお、本発明は、本発明の要旨を逸脱しない範囲で、その他種々の構成を取り得ることは勿論である。
【図面の簡単な説明】
【００９８】
【図１】本発明のインクジェットヘッド及びインクジェット記録装置に関する実施の形態に係わるインクジェットヘッドを備えたインクジェット記録装置の要部を示す概略斜視図である。
【図２】本発明の第１実施の形態に係わるインクジェットヘッドを取り出して示す斜視図である。
【図３】本発明の第１実施の形態に係わる多孔質体を取り出して示す斜視図である。
【図４】本発明の第１実施の形態に係わるインクタンクハウジングに印字ノズル部品を取り付ける状態を示す斜視図である。
【図５】本発明の第１実施の形態に係わるインクタンクハウジングの多孔質体挿入用の部屋に多孔質体を挿入する状態を示す斜視図である。
【図６】本発明の第１実施の形態に係わる、多孔質体挿入用の部屋に多孔質体を挿入したインクタンクハウジングにインクタンク天板部品を取り付ける状態を示す斜視図である。
【図７】本発明の第２実施の形態に係わるインクジェットヘッドを取り出して示す斜視図である。
【図８】本発明の第２実施の形態に係わる、多孔質体挿入用の部屋に多孔質体を挿入したインクタンクハウジングにインクタンク天板部品を取り付ける状態を示す斜視図である。
【図９】本発明の第３実施の形態に係わるインクジェットヘッドを取り出して示す斜視図である。
【図１０】本発明の第３実施の形態に係わる、多孔質体挿入用の部屋に多孔質体を挿入したインクタンクハウジングにインクタンク天板部品を取り付ける状態を示す斜視図である。
【図１１】本発明の第４実施の形態に係わるインクジェットヘッドを取り出して示す斜視図である。
【図１２】本発明の第４実施の形態に係わる、多孔質体挿入用の部屋に多孔質体を挿入したインクタンクハウジングにインクタンク天板部品を取り付ける状態を示す斜視図である。
【図１３】本発明の第５実施の形態に係わるインクジェットヘッドを取り出して示す斜視図である。
【図１４】本発明の第５実施の形態に係わる多孔質体から中空にくり抜いた部分を取り出す状態を示す斜視図である。
【図１５】本発明の第５実施の形態に係わる、中央部を中空にくり抜いた多孔質体を示す斜視図である。
【図１６】本発明の第５実施の形態に係わるインクタンクハウジングに印字ノズル部品を取り付けたものに多孔質体を挿入する状態を示す斜視図である。
【図１７】本発明の第５実施の形態に係わるインクタンクハウジングの多孔質体挿入用の部屋に多孔質体を挿入した状態を示す斜視図である。
【図１８】本発明の第５実施の形態に係わる、多孔質体挿入用の部屋に多孔質体を挿入したインクタンクハウジングにインクタンク天板部品を取り付ける状態を示す斜視図である。
【図１９】本発明の第６実施の形態に係わるインクジェットヘッドを取り出して示す斜視図である。
【図２０】本発明の第６実施の形態に係わる、多孔質体挿入用の部屋に多孔質体を挿入したインクタンクハウジングにインクタンク天板部品を取り付ける状態を示す斜視図である。
【図２１】本発明の第７実施の形態に係わるインクジェットヘッドを取り出して示す斜視図である。
【図２２】本発明の第７実施の形態に係わる、多孔質体挿入用の部屋に多孔質体を挿入したインクタンクハウジングにインクタンク天板部品を取り付ける状態を示す斜視図である。
【図２３】従来のインクジェットヘッドを取り出して示す斜視図である。
【図２４】従来のインクジェットヘッドに用いるウレタンフォーム体を取り出して示す斜視図である。
【図２５】従来のインクジェットヘッドに用いるハウジングにウレタンフォーム体を挿入する状態を示す斜視図である。
【図２６】従来のインクジェットヘッドに用いるハウジングにヘッドチップが搭載された印字ノズル部品を取り付ける状態を示す斜視図である。
【図２７】従来のインクジェットヘッドに用いる印字ノズル部品をハウジングに取り付けたものに、ウレタンフォーム体が挿入された状態を示す斜視図である。
【図２８】従来のインクジェットヘッドに用いる印字ノズル部品を取り付けたハウジングにウレタンフォーム体が挿入されたものに、天板部材を取り付ける状態を示す斜視図である。
【図２９】従来のフォーム収納用ハウジング部とインク用の独立した液室とを一体に形成したハウジングを用いたインクジェットヘッドを取り出して示す斜視図である。
【図３０】従来のフォーム収納用ハウジング部とインク用の独立した液室とを一体に形成したハウジングを用いたインクジェットヘッドにおいて、印字ノズル部品を取り付けたハウジングにウレタンフォーム体が挿入されたものに、天板部材を取り付ける状態を示す斜視図である。
【符号の説明】
【００９９】
１２  インクジェット記録装置
２８  記録ヘッド
３０  サブインクタンク
３１  インクジェットヘッド
４０  多孔質体
４１  部分
４２  斜面
４４  インクタンクハウジング
４４Ａ      仕切板
４６  多孔質体挿入用の部屋
４８  インク貯留用の部屋
５０  印字ノズル部品
５２  インクタンク天板部品
５４  多孔質体圧縮用部材
５４Ａ      圧縮斜面
【図１】
2006062199.tif 000003
【図２】
2006062199.tif 000004
【図３】
2006062199.tif 000005
【図４】
2006062199.tif 000006
【図５】
2006062199.tif 000007
【図６】
2006062199.tif 000008
【図７】
2006062199.tif 000009
【図８】
2006062199.tif 000010
【図９】
2006062199.tif 000011
【図１０】
2006062199.tif 000012
【図１１】
2006062199.tif 000013
【図１２】
2006062199.tif 000014
【図１３】
2006062199.tif 000015
【図１４】
2006062199.tif 000016
【図１５】
2006062199.tif 000017
【図１６】
2006062199.tif 000018
【図１７】
2006062199.tif 000019
【図１８】
2006062199.tif 000020
【図１９】
2006062199.tif 000021
【図２０】
2006062199.tif 000022
【図２１】
2006062199.tif 000023
【図２２】
2006062199.tif 000024
【図２３】
2006062199.tif 000025
【図２４】
2006062199.tif 000026
【図２５】
2006062199.tif 000027
【図２６】
2006062199.tif 000028
【図２７】
2006062199.tif 000029
【図２８】
2006062199.tif 000030
【図２９】
2006062199.tif 000031
【図３０】
2006062199.tif 000032